(57)【特許請求の範囲】
【請求項１】
既設桁取付金に支持された既設かごドア装置を新設かごドア装置に改修する際に用いられる桁取付アダプターであって、
前記既設桁取付金に取り付けられる桁取付アダプター本体を備え、
前記桁取付アダプター本体には、前記新設かごドア装置が取り付けられ、
前記桁取付アダプター本体における出入口中心に対応する部分には、位置決め孔が形成されている桁取付アダプター。
【請求項２】
前記桁取付アダプター本体に設けられ、前記新設かごドア装置を支持する爪をさらに備えている請求項１に記載の桁取付アダプター。
【発明の詳細な説明】
【技術分野】
【０００１】
この発明は、桁取付金に取り付けられ、かごドア装置を支持する桁取付アダプターに関する。
【背景技術】
【０００２】
従来、かご枠に取り付けられた桁取付金と、桁取付金に取り付けられる桁を有するかごドア装置とを備えたエレベータドア装置が知られている（例えば、特許文献１参照）。
【先行技術文献】
【特許文献】
【０００３】
【特許文献１】実開昭５４−１７５１４１号公報
【発明の概要】
【発明が解決しようとする課題】
【０００４】
しかしながら、既設桁取付金に支持された既設かごドア装置を新設かごドア装置に改修する場合に、既設桁取付金の位置と新設かごドア装置が取り付けられる新設桁取付金の位置とが異なるので、既設桁取付金に新設かごドア装置を取り付けることができない。その結果、既設桁取付金を流用して既設かごドア装置を新設かごドア装置に改修することができないという問題点があった。【０００５】
この発明は、既設桁取付金を流用して既設かごドア装置を新設かごドア装置に改修することができる桁取付アダプターを提供するものである。
【課題を解決するための手段】
【０００６】
この発明に係る桁取付アダプターは、既設桁取付金に支持された既設かごドア装置を新設かごドア装置に改修する際に用いられる桁取付アダプターであって、既設桁取付金に取り付けられる桁取付アダプター本体を備え、桁取付アダプター本体には、新設かごドア装置が取り付けられ、桁取付アダプター本体における出入口中心に対応する部分には、位置決め孔が形成されている。
【発明の効果】
【０００７】
この発明に係る桁取付アダプターによれば、既設桁取付金に取り付けられる桁取付アダプター本体を備え、桁取付アダプター本体には、新設かごドア装置が取り付けられるので、既設桁取付金を流用して既設かごドア装置を新設かごドア装置に改修することができる。
【図面の簡単な説明】
【０００８】
【図１】この発明の実施の形態１に係る桁取付アダプターを示す分解斜視図である。
【図２】図１の桁取付アダプターを示す正面図である。
【図３】図２の桁取付アダプターを示す平面図である。
【図４】図２の桁取付アダプターを示す側面図である。
【図５】図１の桁取付アダプターが既設桁取付金に取り付けられている状態を示す側面図である。
【発明を実施するための形態】
【０００９】
実施の形態１．
図１はこの発明の実施の形態１に係る桁取付アダプターを示す分解斜視図である。桁取付アダプター１は、既設エレベーター改修工事において既設かごドア装置を新設かごドア装置に改修する際に用いられる。既設エレベーター改修工事では、既設かご枠２および既設かご枠２に取り付けられた一対の既設桁取付金３が流用される。図１では、一対の既設桁取付金３の中で、戸当たり側の既設桁取付金３を既設桁取付金３ａとし、戸袋側の既設桁取付金３を既設桁取付金３ｂとする。
【００１０】
既設エレベーターでは、既設桁取付金３に既設かごドア装置が取り付けられている。したがって、桁取付アダプター１は、既設桁取付金３に支持された既設かごドア装置を新設かごドア装置に改修する際に用いられる。
【００１１】
それぞれの既設桁取付金３は、複数のボルトを用いて既設かご枠２に取り付けられている。一対の既設桁取付金３には、複数のボルト４を用いて桁取付アダプター１が取り付けられている。桁取付アダプター１は、一対の既設桁取付金３に渡って取り付けられている。桁取付アダプター１には、複数のボルト５を用いて新設かごドア装置６が取り付けられる。図１では、新設かごドア装置６の桁を示している。この例では、新設かごドア装置６の重量は、約３０ｋｇとなっている。また、この例では、桁取付アダプター１の重量は、約７ｋｇとなっている。
【００１２】
既設桁取付金３ａは、既設かごドア装置の桁を支持する爪３１を有している。爪３１は、既設エレベーター改修工事において、新設かごドア装置６の桁を支持する。
【００１３】
図２は図１の桁取付アダプター１を示す正面図、図３は図２の桁取付アダプター１を示す平面図、図４は図２の桁取付アダプター１を示す側面図である。桁取付アダプター１は、既設桁取付金３に取り付けられる板形状の桁取付アダプター本体１１と、桁取付アダプター本体１１に一体に設けられ、新設かごドア装置６の桁を支持する爪１２と、桁取付アダプター本体１１における前面に設けられ、新設かごドア装置６の幅方向側面が当てられる小ねじ１３とを備えている。爪１２は、桁取付アダプター本体１１における戸袋側の部分に設けられている。
【００１４】
桁取付アダプター本体１１には、ボルト４が挿入される６個の取付孔１１１が形成されている。６個の取付孔１１１の中の３個の取付孔１１１は、桁取付アダプター本体１１における幅方向一端部に配置されており、それらの３個の取付孔１１１は、高さ方向に並べて配置されている。一方、６個の取付孔１１１の中の他の３個の取付孔１１１は、桁取付アダプター本体１１における幅方向他端部側に配置されており、それらの３個の取付孔１１１は、高さ方向に並べて配置されている。
【００１５】
ボルト４が、桁取付アダプター本体１１に形成された取付孔１１１および既設桁取付金３に形成された取付孔に挿入されることによって、桁取付アダプター１が既設桁取付金３に取り付けられる。取付孔１１１は、高さ方向に延びた長穴となっている。取付孔１１１におけるボルト４の位置を調整することによって、桁取付アダプター１の既設桁取付金３に対する高さ方向の位置が調整される。
【００１６】
また、桁取付アダプター本体１１には、ボルト５が挿入される６個の取付孔１１２が形成されている。６個の取付孔１１２の中の３個の取付孔１１２は、桁取付アダプター本体１１における幅方向一端部に配置されており、それらの３個の取付孔１１２は、高さ方向に並べて配置されている。一方、６個の取付孔１１２の中の他の３個の取付孔１１２は、桁取付アダプター本体１１における幅方向他端部に配置されており、それらの３個の取付孔１１２は、高さ方向に並べて配置されている。
【００１７】
ボルト５が、新設かごドア装置６の桁に形成された取付孔および桁取付アダプター本体１１に形成された取付孔１１２に挿入されることによって、新設かごドア装置６が桁取付アダプター１に取り付けられる。取付孔１１２は、幅方向に延びた長穴となっている。取付孔１１２におけるボルト５の位置を調整することによって、新設かごドア装置６の桁取付アダプター１に対する幅方向の位置が調整される。
【００１８】
また、桁取付アダプター本体１１には、一対の位置決め孔１１３が形成されている。一対の位置決め孔１１３は、高さ方向に離れて配置されている。また、一対の位置決め孔１１３は、桁取付アダプター本体１１における出入口中心に対応する部分に配置されている。桁取付アダプター本体１１における出入口中心に対応する部分とは、桁取付アダプター本体１１において、幅方向についてかご出入口の中心に対応する部分である。
【００１９】
一対の位置決め孔１１３と、新設かごドア装置６の桁に形成された一対の位置決め孔とを重ねることによって、桁取付アダプター１の出入口中心と新設かごドア装置６の出入口中心とが一致する。
【００２０】
次に、桁取付アダプター１の芯出し作業について説明する。図５は図１の桁取付アダプター１が既設桁取付金３に取り付けられている状態を示す側面図である。桁取付アダプター１の芯出し作業では、高さ方向の位置、側面から視た場合の鉛直線に対する倒れ角度、奥行方向の位置、出入口中心に対する位置が調整される。
【００２１】
まず、既設桁取付金３に設けられたジャッキボルト３２を用いて、敷居７から桁取付アダプター１の下端までの高さ方向の位置が調整されるように、既設かご枠２に対する既設桁取付金３の高さ方向の位置を調整する。
【００２２】
その後、既設桁取付金３に設けられたジャッキボルト３３を用いて、かご敷居線８から桁取付アダプター１の前面までの距離を調整することによって、桁取付アダプター１の倒れ角度を調整する。かご敷居線８とは、敷居７を側面から視た場合に、敷居７の乗場側端部から鉛直方向に延びる線である。
【００２３】
その後、桁取付アダプター１における出入口の幅方向両端部に対応する部分の奥行方向の位置を調整し、その後、既設桁取付金３に設けられた桁取付ボルト３４を用いて、既設桁取付金３を既設かご枠２に対して固定する。
【００２４】
その後、桁取付アダプター本体１１における出入口中心に対応する部分と、かご出入口の幅方向中心とのずれが１ｍｍ以下となるように、既設桁取付金３に対する桁取付アダプター１の幅方向の位置を調整する。以上により、桁取付アダプター１の芯出しの作業が終了する。
【００２５】
次に、芯出し作業が終了した桁取付アダプター１に新設かごドア装置６を取り付ける手順について説明する。まず、戸当たり側の既設桁取付金３の爪３１と戸袋側の桁取付アダプター１の爪１２に新設かごドア装置６の桁を載せる。
【００２６】
その後、新設かごドア装置６の桁の幅方向側面を桁取付アダプター１の小ねじ１３に当てる。
【００２７】
その後、新設かごドア装置６の桁に形成された位置決め孔と桁取付アダプター１に形成された位置決め孔１１３とが重なるように、桁取付アダプター１に対する新設かごドア装置６の幅方向の位置を調整する。
【００２８】
その後、ボルト５を用いて新設かごドア装置６を桁取付アダプター１に固定する。以上により、新設かごドア装置６の据付が終了する。
【００２９】
以上説明したように、この発明の実施の形態１に係る桁取付アダプター１によれば、既設桁取付金３に取り付けられる桁取付アダプター本体１１を備え、桁取付アダプター本体１１には、新設かごドア装置６が取り付けられるので、既設桁取付金３を流用して既設かごドア装置を新設かごドア装置６に改修することができる。
【００３０】
また、この桁取付アダプター１は、桁取付アダプター本体１１に設けられ新設かごドア装置６を支持する爪１２をさらに備えているので、新設かごドア装置６を桁取付アダプター１に仮置きすることができる。その結果、桁取付アダプター１への新設かごドア装置６の据付においては、桁取付アダプター１の爪１２にかごドア装置の質量を預けることにより、作業者の負担荷重を削減することができる。
【００３１】
また、桁取付アダプター本体１１における出入口中心に対応する部分には、出入口中心位置決め孔１１３が形成されているので、新設かごドア装置６に形成された位置決め孔と桁取付アダプター本体１１の位置決め孔１１３とを重ねることによって、桁取付アダプター１に対する新設かごドア装置６の桁の幅方向の位置を容易に調整することができる。
【００３２】
また、桁取付アダプター１は、取扱いが容易な一枚板であるので、桁取付アダプター１の芯出し作業において、寸法測定が容易である。
【００３３】
また、質量が約３０ｋｇである高重量の新設かごドア装置６を位置調整する場合と比較して、質量が約７ｋｇである軽量化された桁取付アダプター１は、容易に位置調整することができ、作業者の負担軽減を図ることができる。
【００３４】
また、桁取付アダプター１と新設かごドア装置６の位置合わせは、桁取付アダプター１の小ねじ１３に新設かごドア装置６の幅方向側面を当てることによって、おおよその中心位置が合うようになっているので、小ねじ１３に新設かごドア装置６を当てた後、それぞれの出入口中心に対応する部分に設けられた位置決め孔が合うように微調整するだけで、新設かごドア装置６の位置調整を完了することができる。
【図１】
0006567194.tif 000002
【図２】
0006567194.tif 000003
【図３】
0006567194.tif 000004
【図４】
0006567194.tif 000005
【図５】
0006567194.tif 000006